(57)【要約】【課題】計測プローブ脱着時における絶縁媒体の処理量を低減することにより、作業を容易化することを目的とする。【解決手段】先端に温度センサー１が取り付けられた摺動軸２が気密貫通する蓋３を変圧器本体タンク５に取り付け、変圧器本体とは別の空間７を設けるとともに変圧器本体と空間７とを仕切るための蝶型仕切弁８を設ける。そして温度センサー１を取り替えたり、取り外したりする場合、温度センサー１が空間７内に位置するよう摺動軸２を外部から引き抜き、蝶型仕切弁８を閉にして、変圧器本体タンク５と空間７を隔離する。【選択図】　　　　図１
2004023018.tif 000002
【特許請求の範囲】
【請求項１】
センサーが取り付けられた摺動軸を電気機器本体内に摺動させることにより測定する電気機器内部計測機構において、上記電気機器本体とは別の空間を設け、上記電気機器本体と上記空間を仕切るための仕切弁を設けたことを特徴とする電気機器内部計測機構。
【請求項２】
上記空間を冷却系配管で構成したことを特徴とする請求項１記載の電気機器内部計測機構。
【発明の詳細な説明】
【０００１】
【発明の属する技術分野】
この発明は、絶縁性媒体を封入した変圧器などの電気機器に関するものであり、特に温度センサー等の内部計測用プローブの脱着機構に関するものである。
【０００２】
【従来の技術】
図４は従来の変圧器内部において、摺動軸上の任意の各点の温度を測定する場合に変圧器に取り付けられた温度センサー取付機構を示す断面図である。
図において、２１は温度センサー、２２は摺動軸、２２ａは摺動軸２２内に気密配置された出力信号線またはセンサーヘの電源供給線、２３は摺動軸２２が気密貫通する蓋であり、Оリング２４等によって摺動シールされている。
２５は絶縁油２６を充填した変圧器本体タンクの一部である。
【０００３】
次に動作について説明する。温度センサー２１は、摺動軸２２の先端に取り付けられ、変圧器外部より摺動軸２２を出し入れして、センサー位置を替えることにより、摺動軸２２上の任意の位置の温度分布を測定する。
これらは、要求によっては、摺動軸２２を変圧器本体に複数設置し、内部温度分布または特定箇所の温度を詳細に測定することになる。
【０００４】
【発明が解決しようとする課題】
従来の電気機器は以上のように構成されているので、センサーの取り替え、あるいは取り外しを行う場合、摺動部が気密貫通する蓋を逐一取り外すために、変圧器内部の全油を本体内から排出しなければならないという問題点があった。
【０００５】
一般に変圧器内部空間の温度分布などがより問題となるのは、数十から数百ＭＶＡの大容量変圧器であり、それらに封入される油量は数干から数万リットルの規模であり、排出用タンク、排出用ポンプあるいは封入時の真空ポンプ、油処理機材など、大規模な装置を使用する必要があるという問題点があった。
【０００６】
この発明は上記のような問題点を解消するためになされたもので、温度センサーなどの計測プローブの脱着時において、絶縁媒体の処理量を低減して、作業を容易化することができる電気機器を提供することを目的とする。
【０００７】
【課題を解決するための手段】
この発明の請求項１に係る電気機器内部計測機構は、センサーが取り付けられた摺動軸を電気機器本体内に摺動させることにより測定するものであって、電気機器本体とは別の空間を設け、電気機器本体と空間を仕切るための仕切弁を設けたものである。
【０００８】
この発明の請求項２に係る電気機器内部計測機構は、空間を冷却系配管で構成したものである。
【０００９】
【発明の実施の形態】
実施の形態１．
以下、この発明の一実施形態を図に基づいて説明する。
図１はこの発明の実施の形態１による変圧器における温度センサー取付機構を示す断面図であり、図において、１は温度センサー、２は先端に温度センサー１が取り付けられた摺動軸、２ａは摺動軸２内に気密配置された出力信号線またはセンサーへの電源供給線、３は摺動軸２が気密貫通する蓋であって、Оリング４などで摺動シールされる構造である。
５は絶縁油６を充填した変圧器本体タンクの一部、７は温度センサー１を収納できるとともに、絶縁油が充満され、変圧器本体タンク５とは別に設けられた空間、８は変圧器本体タンク５と空間７とを仕切るための蝶型仕切弁、９は空間７の外壁１０に取付られた１個または複数個のバルブである。
【００１０】
変圧器本体内における任意の位置において、温度センサー１による測定を行う場合、摺動軸２を変圧器本体内部にまで摺動させることにより測定を行うので、摺動軸２が蝶型仕切弁８と接触しないように、摺動軸２の中心線は蝶型仕切弁８の中心線を避けて設置されている。
温度センサー１を変圧器本体タンク内で使用する場合、蝶型仕切弁８は開状態となっており、摺動軸２を外部から変圧器本体内に挿入して所定位置での測定を行う。
【００１１】
次に、温度センサー１を取り替えたり、あるいは取り外したりする場合、摺動軸２先端の温度センサー１が、絶縁油が充満した空間７内に位置するよう摺動軸２を外部から引き抜き、蝶型仕切弁８を閉にして、変圧器本体タンク５と空間７とを隔離する。
次に、バルブ９を用いて、空間７内の絶縁油を外部に排出する。
このとき、排出する油の量は高々数リットルか１０リットルの規模であるので、従来に比べると簡便に絶縁油を処理することができる。
なお、絶縁油の注入は、バルブ９を介して空間７の真空引きを行った後、所定の絶縁油で空間７を充填する。
【００１２】
以上のようにこの発明によれば、電気機器本体タンク５と、温度センサー１を収納するとともに、絶縁媒体を充満した空間７の間に蝶型仕切弁８を設けて二重構造としたので、プローブ脱着時の絶縁媒体処理量を低滅することができ、処理装置の規模も小さくすることができる。
また、処理量、処理装置の規模が小さくなることにより、短時間で脱着作業を行うことができる。
【００１３】
実施の形態２．
図２はこの発明の実施の形態２による変圧器における温度センサー取付機構を示す断面図であり、本実施形態においては、蝶型仕切弁の代わりにゲートバルブ１１などの全面開口できる仕切弁を設けたものであり、その他の構成は図１に示したものと同様である。
以上のように構成することにより、実施の形態１の場合と同様にプローブ脱着時の絶縁媒体処理量を低減することができるとともに、蝶型仕切弁のように摺動軸２がゲートバルブ１１と接触することがないので、摺動軸２の位置に注意を払う必要はない。
【００１４】
実施の形態３．
図３はこの発明の実施の形態３による変圧器における温度センサー取付機構を示す断面図である。
一般に油入変圧器の冷却配管系と変圧器本体とを、冷却系のメンテナンスのために蝶型仕切弁を使用して仕切ることが行われているが、本実施形態においてはこのような構造を利用して、上記実施の形態１、２で示した摺動軸を封入する空間を冷却系配管で代用したものである。
【００１５】
図３において、１２は冷却系配管、１３は変圧器の冷却器、１４は油循環ポンプ、１５は摺動軸２が気密貫通する蓋である。
そして温度センサー１を変圧器本体タンク内で使用する場合、蝶型仕切弁８は開状態となっており、摺動軸２を外部から変圧器本体内に挿入して所定位置での測定を行う。
次に、温度センサー１を取り替えたり、あるいは取り外したりする場合、摺動軸２先端の温度センサー１が、絶縁油が充満した冷却系配管１２内に位置するよう摺動軸２を外部から引き抜き、蝶型仕切弁８を閉にして、変圧器本体タンク５と冷却系配管１２とを隔離する。
上記説明においては、蝶型仕切弁８を使用した場合について説明したが、図２のように、ゲートバルブなどの全面開口できる仕切弁を用いてもよい。
【００１６】
尚、上記実施の形態１〜３においては、油入変圧器に取り付けられた温度センサー１の例で説明したが、Ｇ１Ｓ（Ｇａｓ　１ｎｓｕ１ａｔｅｄ　Ｓｗｉｃｈｇｅａｒ）やガス絶縁変圧器など、ガスを絶縁媒体とした電気機器でも同様に適用することができる。
また、摺動軸２の先端に取り付けるセンサーは温度センサーのみならず、圧力、流速、絶縁媒体の電気特性、その他の物理量を検出するものであっても同様の効果がえられる。
【００１７】
更に、本発明が対象とするセンサー部分は形状を制限するものではなく、仕切弁における開口部の出し入れが可能な寸法構成を確保すれば、任意の形状・寸法のものに対応できる。
又、センサーだけでなく、電気機器内部の絶縁媒体を採取するようなものを摺動軸２の先端に取り付けても同様の効果が得られる。
更に、長期的にこれらのセンサーを使用する場合、摺動軸気密信頼性確保のため交換などのメンテナンス作業を伴うが、この場合にも本発明の脱着容易性が効果を発する。
【００１８】
【発明の効果】
この発明の請求項１に係る電気機器内部計測機構によれば、センサーが取り付けられた摺動軸を電気機器本体内に摺動させることにより測定するものであって、電気機器本体とは別の空間を設け、電気機器本体と空間を仕切るための仕切弁を設けたので、摺動軸脱着時の絶縁媒体処理量を低減することができ、処理装置の規模を小さくすることができる。
【００１９】
この発明の請求項２に係る電気機器内部計測機構によれば、空間を冷却系配管で構成したので、既存の設備を利用することにより、安価に装置を構成することができる。
【図面の簡単な説明】
【図１】この発明の実施の形態１による電気機器内部計測機構を示す一部断面図である。
【図２】この発明の実施の形態２による電気機器内部計測機構を示す一部断面図である。
【図３】この発明の実施の形態３による電気機器内部計測機構を示す一部断面図である。
【図４】従来の電気機器内部計測機構を示す一部断面図である。
【符号の説明】
１　温度センサー、２　摺動軸、７　空間、８　蝶型仕切弁、１２　冷却系配管。
【図１】
2004023018.tif 000003
【図２】
2004023018.tif 000004
【図３】
2004023018.tif 000005
【図４】
2004023018.tif 000006